(57)【特許請求の範囲】
【請求項１】
火薬類を貯蔵するための貯蔵倉庫であって、
地面を掘削した掘削底面上に設置され、火薬類を貯蔵するための倉庫本体と、
前記倉庫本体の外面を覆い、保有する水分量によって爆土圧の伝播力が変動する第１土層と、
前記第１土層の外面を覆う、遮水性を有するシート体と、
前記シート体の側面と掘削側面との間に形成された第２土層とを備えた、貯蔵倉庫。
【請求項２】
火薬類を貯蔵するための貯蔵倉庫であって、
地面を掘削した掘削底面上に設置され、火薬類を貯蔵するための倉庫本体と、
前記倉庫本体の外面を覆い、保有する水分量によって爆土圧の伝播力が変動する第１土層と、
前記第１土層の上面において、少なくとも前記倉庫本体の平面視における範囲を覆うように平面状に設置された、遮水性を有するシート体とを備えた、貯蔵倉庫。
【請求項３】
前記シート体を覆うように前記第１土層の上に形成された第２土層を更に備えた、請求項２記載の貯蔵倉庫。
【請求項４】
火薬類を貯蔵するための貯蔵倉庫であって、
地面を掘削した掘削底面上に設置され、火薬類を貯蔵するための倉庫本体と、
前記倉庫本体の外面を覆い、保有する水分量によって爆土圧の伝播力が変動する第１土層と、
前記第１土層の外面を覆う、遮水性を有するシート体と、
前記シート体の外面を覆う第２土層とを備えた、貯蔵倉庫。
【発明の詳細な説明】
【技術分野】
【０００１】
この発明は貯蔵倉庫に関し、特に爆発性を有する火薬類等を貯蔵するための貯蔵倉庫に関するものである。
【背景技術】
【０００２】
従来の火薬類等を貯蔵するための貯蔵倉庫は、地上にコンクリート製の構造体で構成されているのが一般的である。
【０００３】
又、特許文献１に示すように、一対の不透水性のシートの間に複数の密封式のチューブ群を配列して連続構造体を形成し、この連続構造体に発泡ウレタン等を充填して所定の形状に立ち上がらせて貯蔵倉庫を構築する方法が提案されている。これによって、施工が容易となり、トンネル内で大きな容積の倉庫を確保できるとされている。
【特許文献１】特公平６−２３５１８号公報
【発明の開示】
【発明が解決しようとする課題】
【０００４】
上記のような従来の地上におけるコンクリート製の構造体の貯蔵倉庫では、火薬類が爆発したとき、構造体の破片が飛散したり、爆風圧が拡散して周囲に影響を与える虞がある。
【０００５】
又、特許文献１の貯蔵倉庫では、コンクリート片の飛散等は無いものの構造が複雑であり、施工性、汎用性が高いとは言えない。
【０００６】
そこで、貯蔵倉庫を地中に設置することが提案されている。この場合、地中爆発となるため、爆風圧等による周囲の影響を低減することができる。しかし、地中爆発は爆土圧により地盤振動を発生する。この爆土圧は倉庫周りの土層の水分含有量が多ければそれだけ大きくなり、結果として地盤振動も増大する。この水分含有量は雨水の影響を受けるため、倉庫に対する保安距離を大きくとらざるを得ない。
【０００７】
この発明は、上記のような課題を解決するためになされたもので、簡易な構成で地盤振動を低減できる地中における貯蔵倉庫を提供することを目的とする。
【課題を解決するための手段】
【０００８】
上記の目的を達成するために、請求項１記載の発明は、火薬類を貯蔵するための貯蔵倉庫であって、地面を掘削した掘削底面上に設置され、火薬類を貯蔵するための倉庫本体と、倉庫本体の外面を覆い、保有する水分量によって爆土圧の伝播力が変動する第１土層と、第１土層の外面を覆う、遮水性を有するシート体と、シート体の側面と掘削側面との間に形成された第２土層とを備えたものである。
【０００９】
このように構成すると、第１土層への雨水等の浸入が阻止されると共に、シート体の側面は第２土層で囲まれる。
【００１０】
請求項２記載の発明は、火薬類を貯蔵するための貯蔵倉庫であって、地面を掘削した掘削底面上に設置され、火薬類を貯蔵するための倉庫本体と、倉庫本体の外面を覆い、保有する水分量によって爆土圧の伝播力が変動する第１土層と、第１土層の上面において、少なくとも倉庫本体の平面視における範囲を覆うように平面状に設置された、遮水性を有するシート体とを備えたものである。
【００１１】
このように構成すると、倉庫本体の上方に位置する第１土層の部分への雨水等の浸入が阻止される。
【００１２】
請求項３記載の発明は、請求項２記載の発明の構成において、シート体を覆うように第１土層の上に形成された第２土層を更に備えたものである。
【００１３】
このように構成すると、シート体の上面は第２土層で覆われる。
【００１４】
請求項４記載の発明は、火薬類を貯蔵するための貯蔵倉庫であって、地面を掘削した掘削底面上に設置され、火薬類を貯蔵するための倉庫本体と、倉庫本体の外面を覆い、保有する水分量によって爆土圧の伝播力が変動する第１土層と、第１土層の外面を覆う、遮水性を有するシート体と、シート体の外面を覆う第２土層とを備えたものである。
【００１５】
このように構成すると、第１土層への雨水等の浸入が阻止されると共に、シート体の全面は第２土層で囲まれる。
【発明の効果】
【００１６】
以上説明したように、請求項１記載の発明は、第１土層への雨水等の浸入が阻止されるので、第１土層の水分保有量が常に一定になる。そのため、爆発時の爆土圧の伝播力が一定になり、周辺における保安距離の確保が容易となる。又、シート体の側面方向への拡がりが第２土層によって阻止されるので、シート体の倉庫本体に対する包囲効果が高まり、信頼性が向上する。
【００１７】
請求項２記載の発明は、倉庫本体の上方に位置する第１土層の部分への雨水等の浸入が阻止されるので、その部分の水分保有量が常に一定になる。そのため、爆発時の地上方向への爆土圧の伝播力が一定になり、周辺における保安距離の確保が容易となる。
【００１８】
請求項３記載の発明は、請求項２記載の発明の効果に加えて、シート体の上方向への浮き上がりが第２土層によって阻止されるので、シート体の倉庫本体に対する設置効果が高まり、信頼性が向上する。
【００１９】
請求項４記載の発明は、第１土層への雨水等の浸入が阻止されるので、第１土層の水分保有量が常に一定になる。そのため、爆発時の爆土圧の伝播力が一定になり、周辺における保安距離の確保が容易となる。又、シート体の浮き上がりが第２土層によって阻止されるので、シート体の倉庫本体に対する包囲効果が高まり、信頼性が向上する。
【発明を実施するための最良の形態】
【００２０】
図１はこの発明の第１の実施の形態による貯蔵倉庫の外観形状を示す平面図であり、図２は図１で示したＩＩ−ＩＩラインの断面図である。
【００２１】
これらの図を参照して、貯蔵倉庫１１の中心となる、火薬類等が貯蔵されている倉庫本体１４は、地面１６を掘削して形成された掘削底面１７の上に設置されている。倉庫本体１４は、その材質は限定しないが、以下に述べるようなその外面に設置する構造体等を保持できるような強度を有する構造であれば良い。
【００２２】
倉庫本体１４の外面であって掘削底面１７より上の面が第１土層２１で覆われており、その外面がシート体１３によって覆われている。第１土層２１の土の種類や施工厚さは倉庫本体１４内に貯蔵される火薬類の爆発力の大きさによって決定すれば良い。シート体１３は総ゴム製の遮水シートが用いられており、その地面側の端部となる平坦部１９ａ，１９ｂの各々は掘削底面１７の上に配置されているが、アンカーボルト等の固定手段で掘削底面１７に固定するようにしても良い。
【００２３】
シート体１３の外面の全面は、その上面が地面１６に整列した第２土層２７によって覆われている。これによって、掘削側面１８ａ，１８ｂを含め掘削部分の残りがすべて第２土層で埋められることになる。
【００２４】
尚、倉庫本体１４の長手方向（図１における上下方向）の両端部は、図２の断面図と同様に第１土層２１、シート体１３及び第２土層２７で覆うように構成しても良いが、扉構造を組み込んだ他の構造体によって塞ぐようにしても良い。いずれにしても、図２における倉庫本体１４の側面方向及び上面方向は、第１土層２１、シート体１３及び第２土層２７でその全面が覆われることになる。
【００２５】
次に、この貯蔵倉庫１１における安全性について説明する。
【００２６】
倉庫本体１４に収納されている火薬類がなんらかの原因で爆発すると、周囲にその破片が飛散したり爆風が拡散する。しかし、倉庫本体１４の掘削底面１７より上の周囲は第１土層２１で覆われているため、破片や爆風は第１土層２１で吸収されながらシート体１３に伝達する。尚、掘削底面１７の方向に拡散した爆風は掘削底面１７に吸収され、掘削底面１７より上の周囲に影響を与えることは無い。
【００２７】
シート体１３は第１土層２１を覆っていると共に、その外面は第２土層２７で覆われているため、シート体１３は捲りあがることがない。その結果、倉庫本体１４を包囲したシート体１３に伝達された爆風等は外部に拡散されることがない。尚、第２土層２７の土の種類や施工厚さは、倉庫本体１４内に貯蔵される火薬類の爆発力によるシート体１３への影響に応じて決定すれば良い。
【００２８】
尚、シート体１３は遮水性を有しているため、第２土層２７を介して外面から浸み込んだ雨水等が第１土層２１に浸透することは無い。そのため、第１土層２１が保有する水分量は常に一定となるので、第１土層２１を介して伝達し、地盤振動をもたらす爆土圧の伝播力が変動する虞が無い。したがって、火薬類の爆発による地盤振動の周囲への影響が一定化するので、貯蔵倉庫１１周りに必要な保安距離の確保が容易となる。又、シート体１３の遮水性により火薬類の湿潤を防ぐ効果も期待できる。
【００２９】
図３はこの発明の第２の実施の形態による貯蔵倉庫の概略断面図であって、先の実施の形態による図２に対応した図である。
【００３０】
図を参照して、基本的な構成は先の実施の形態の貯蔵倉庫と同一であるので、ここではその相違点について主に説明する。
【００３１】
第１土層２１は、倉庫本体１４の外面を覆うのみならず掘削底面１７から掘削側面１８ａ，１８ｂの一部までを覆うように形成され、その上面は平坦面２３となっている。平坦面２３の上にはシート体１３が平面状に設置されている。シート体１３は、少なくとも倉庫本体１４の平面視における範囲を覆う大きさに設定され、配置されている。第１土層２１の上面にはシート体１３を覆うように第２土層２７が形成されている。具体的には、第２土層２７は掘削側面１８ａ，１８ｂの残部を覆い、その上面が地面１６の面に整列するように形成されている。尚、シート体１３の倉庫本体１４の平面視に対する余剰程度は、爆土圧の緩和に対して必要な第１土層２１の厚さに応じて雨水等が影響しないように決定すれば良い。
【００３２】
このように構成されているため、第２土層２７を介して外面から浸み込んだ雨水等はシート体１３の下方の第１土層２１の部分に浸透することは無い。即ち、倉庫本体１４の上部の第１土層２１の部分が保有する水分量は常に一定となる。その結果、火薬類の爆発による地盤振動の周囲への影響が一定化するので、貯蔵倉庫１１周りに必要な保安距離の確保が容易となる。又、シート体１３は第１土層２１の平坦面２３の一部を覆っていると共に、その外面は第２土層２７で覆われているため、爆発時におけるシート体１３が捲りあがることがない。その結果、シート体１３に伝達された爆風等は外部に拡散されることがない。
【００３３】
図４はこの発明の第３の実施の形態による貯蔵倉庫の概略断面図であって、第１の実施の形態による図２に対応した図である。
【００３４】
図を参照して、基本的な構成は第１の実施の形態の貯蔵倉庫と同一であるので、ここではその相違点について主に説明する。
【００３５】
第１土層２１をシート体１３で覆う点までは第１の実施の形態による貯蔵倉庫と同一であるが、この実施の形態の貯蔵倉庫１１にあっては、第２土層２９ａ，２９ｂの形成範囲が大きく異なっている。即ち、第２土層２９ａ，２９ｂは、シート体１３の外面全面を覆うものではなく、各々がシート体１３の側面部分の各々と掘削側面１８ａ，１８ｂの各々との間のスペースを埋めるように形成されている。そして、シート体１３の上面と第２土層２９ａ，２９ｂの上面とは地面１６の面に整列されるように形成されている。
【００３６】
これによって、第１土層２１の水分保有量は一定となるため、地盤振動の低減効果を発揮すると共に、シート体１３の上面に向かう爆風等はシート体１３によって阻止されることになる。又、第２土層２９ａ，２９ｂは、シート体１３の平坦部１９ａ，１９ｂの上に形成されているので、シート体１３の捲りあがりを防止する効果も奏する。そして、この実施の形態による貯蔵倉庫にあっては、第２土層を形成しないため、倉庫本体１４の設置のための掘削深さを低減すると共に、設置工程がより簡略化する。
【００３７】
図５はこの発明の第４の実施の形態による貯蔵倉庫の概略断面図であって、第２の実施の形態による図３に対応した図である。
【００３８】
図を参照して、基本的な構成は第２の実施の形態の貯蔵倉庫と同一であるので、ここではその相違点について主に説明する。
【００３９】
倉庫本体１４の上方であって第１土層２１の平坦面２３の一部をシート体１３で覆う点までは第２の実施の形態による貯蔵倉庫と同一である。しかし、この実施の形態の貯蔵倉庫１１にあっては、第１土層２１の平坦面２３は地面１６の面に整列しており、その上面にはシート体１３が設置されているだけで、第２の実施の形態のような第２土層は形成されていない。尚、シート体１３は掘削面等を利用して上方に飛散しないようにワイヤー等で固定しておくことが好ましい。
【００４０】
これによって、倉庫本体周りの第１土層２１の水分保有量は一定となるため、地盤振動の低減効果を発揮すると共に、上面に向かう爆風等はシート体１３によって阻止されることになる。そして、この実施の形態による貯蔵倉庫にあっては、第２土層を形成しないため、倉庫本体１４の設置のための掘削深さを低減すると共に、設置工程がより簡略化する。
【００４１】
尚、上記の各実施の形態では、シート体は総ゴム製の遮水シートを用いているが、ゴム材料に繊維、金網等からなる補強材を内部に埋設又は表面に被覆したシート材や合成樹脂性のシート材等を用いても良い。
【００４２】
又、上記の各実施の形態では、シート体の設置形態については触れていないが、設置時にできるだけ角部等が表れないように設置すれば、シート体の破断を防止する意味で好ましい。
【００４３】
更に、上記の各実施の形態では、シート体は一枚で使用しているが、状況に応じて複数枚を重ねて使用しても良い。
【００４４】
更に、上記の第１及び第３の実施の形態では、シート体の両端部は倉庫本体から外方側に延びているが、これらの端部を倉庫本体の底面側の一部を覆うように配置しても良い。
【図面の簡単な説明】
【００４５】
【図１】この発明の第１の実施の形態による貯蔵倉庫の外観形状を示す平面図である。
【図２】図１で示したＩＩ−ＩＩラインの断面図である。
【図３】この発明の第２の実施の形態による貯蔵倉庫の概略断面図であって、第１の実施の形態による図２に対応した図である。
【図４】この発明の第３の実施の形態による貯蔵倉庫の概略断面図であって、第１の実施の形態による図２に対応した図である。
【図５】この発明の第４の実施の形態による貯蔵倉庫の概略断面図であって、第２の実施の形態による図３に対応した図である。
【符号の説明】
【００４６】
１１…貯蔵倉庫
１３…シート体
１４…倉庫本体
１６…地面
１７…掘削底面
２１…第１土層
２７…第２土層
尚、各図中同一符号は同一又は相当部分を示す。
【図１】
0005297018.tif 000002
【図２】
0005297018.tif 000003
【図３】
0005297018.tif 000004
【図４】
0005297018.tif 000005
【図５】
0005297018.tif 000006